(57)【特許請求の範囲】
【請求項１】
使用済燃料を角筒状に形成した多数のセルに収納して保管する使用済燃料ラックであって、
前記多数のセルにおいて中性子遮蔽材を組み立てて形成した中性子遮蔽セルと、
前記中性子遮蔽材と高強度構造材を組み合わせて形成した複合セルと、
前記中性子遮蔽セル及び前記複合セルを互いに一定間隔に保持するように位置決めする枠板と、を備え、
前記複合セルを少なくとも一本前記多数のセル内に配置したことを特徴とする使用済燃料ラック。
【請求項２】
前記複合セルは、角筒状に組み立てられた前記中性子遮蔽材の外周４面に、前記中性子遮蔽材の板厚と同等幅のスリットが幅方向両端近傍に形成された一対の第１のステンレス鋼板と、幅方向両端に前記中性子遮蔽材の板厚と同等幅の切欠き部が形成された一対の第２のステンレス鋼板を重ね合わせ、前記各スリット及び前記各切欠き部をそれぞれ前記中性子遮蔽材の交点部に嵌め込み、前記第１及び第２のステンレス鋼板同士を結合手段により結合したことを特徴とする請求項１に記載の使用済燃料貯蔵ラック。
【請求項３】
前記複合セルは、幅方向両端に切欠き部が形成された中性子遮蔽材を四角筒形に組み立て、前記切欠き部の形状に合致するような形状のステンレス鋼板を外周４面に重ね合わせ、これらのステンレス鋼板同士を結合手段により結合したことを特徴とする請求項１に記載の使用済燃料貯蔵ラック。
【請求項４】
前記中性子遮蔽材は、四角筒形に組み立てた４隅の交点部をクリップで固定したことを特徴とする請求項２又は３に記載の使用済燃料貯蔵ラック。
【請求項５】
前記中性子遮蔽材は、１％を超える高ボロン濃度のボロン添加ステンレス鋼板としたことを特徴とする請求項１乃至３のいずれか一項に記載の使用済燃料貯蔵ラック。
【発明の詳細な説明】
【技術分野】
【０００１】
本発明は、原子炉から取り出された使用済燃料を燃料貯蔵プール内に収容して保管するための使用済燃料貯蔵ラックに関する。
【背景技術】
【０００２】
一般に、原子力発電プラントにおいては、原子炉を一定期間運転した後に、炉心から取り出された使用済燃料を再処理に移行するまでの間、燃料貯蔵プールに設置された使用済燃料貯蔵ラックに収納して保管しておき、冷却することで使用済燃料の崩壊熱を除去している。
【０００３】
近年では、燃料貯蔵プールの貯蔵容量を増加する要望があり、既存スペースをさらに有効活用する必要がある。この要望に応えるため、使用済燃料貯蔵ラックに中性子吸収能力に優れた材料を用い、燃料相互間の未臨界性を保持しつつ、燃料間隔を狭くするような構造としている。また、このような中性子吸収能力に優れた材料は、地震時における使用済燃料ラックの高強度構造材としても利用している。このような技術を用いて貯蔵する使用済燃料の稠密度を増大可能な使用済燃料貯蔵ラックとしては、例えば特許文献１に記載された技術がある。
【０００４】
このように従来では、上記特許文献１の他、特許文献２に記載された技術のように使用済燃料貯蔵ラックの材料に中性子吸収能力に優れ、かつ構造強度も高いボロン濃度が１％までのボロン添加ステンレス鋼を適用し、格子状に溶接構成された燃料貯蔵セル構造のものがある。
【先行技術文献】
【特許文献】
【０００５】
【特許文献１】特開平１０−２１３６９３号公報
【特許文献２】特開２００７−０２４６０９号公報
【発明の概要】
【発明が解決しようとする課題】
【０００６】
ところで、燃料貯蔵プールに貯蔵する使用済燃料のさらなる稠密化の要望に応えるには、従来の１％以下のボロン添加ステンレス鋼板よりも中性子吸収能力に優れた１％を超える高ボロン濃度のボロン添加ステンレス鋼板を使用する必要性が生じてきている。
【０００７】
しかしながら、１％を超える高ボロン濃度のボロン添加ステンレス鋼は、溶接部の強度が低下するとともに、靭性が低下することにより、溶接加工や曲げ加工が困難になるため、従来のラックのように溶接により格子状に形成されるセルを製作することが困難になるという問題がある。
【０００８】
また、海外では、中性子遮蔽材が高強度構造材を兼ねることを法律で禁じている国がある。そのため、中性子遮蔽材として高ボロン濃度のボロン添加ステンレス鋼板により形成される角筒を使用し、地震などの横荷重を受けても使用済燃料を適切に保持するための高強度構造材とはしていない。したがって、横荷重の増加に応じて強度を高めることが困難であるという問題がある。
【０００９】
さらに、従来では、横荷重の増加に対応するために高強度構造材を使用済燃料貯蔵ラックの中央部にも配置することが考えられるものの、高強度構造材として独立したものを使用済燃料貯蔵ラックの中央部に配置するためには、上、中、下部にそれぞれ設置する格子状の枠板へ取り付ける必要があり、そのため燃料貯蔵セル間への施工作業は、高い精度を必要とし、製造が難しいという問題が新たに発生する。
【００１０】
同様に、高地震帯などにおいて高強度のものが要求される場合、使用済燃料貯蔵ラックの各セル間に高強度構造材を配置すると、セル間の距離の増加につながる可能性があり、使用済燃料貯蔵ラックの外形を大きくしてしまうため、稠密化の要求に反してしまう問題がある。
【００１１】
本発明は上述した事情を考慮してなされたものであり、外形を大きくすることなく、製造が容易で、地震などの横荷重の増加に応じた強度要求に対して柔軟に対応可能な使用済燃料貯蔵ラックを提供することを目的とする。
【課題を解決するための手段】
【００１２】
上記目的を達成するために、本発明に係る使用済燃料貯蔵ラックは、使用済燃料を角筒状に形成した多数のセルに収納して保管する使用済燃料ラックであって、前記多数のセルにおいて中性子遮蔽材を組み立てて形成した中性子遮蔽セルと、前記中性子遮蔽材と高強度構造材を組み合わせて形成した複合セルと、前記中性子遮蔽セル及び前記複合セルを互いに一定間隔に保持するように位置決めする枠板と、を備え、前記複合セルを少なくとも一本前記多数のセル内に配置したことを特徴とする。
【発明の効果】
【００１３】
本発明によれば、外形を大きくすることなく、製造が容易で、地震などの横荷重の増加に応じた強度要求に対して柔軟に対応して強度を高めることができる。
【図面の簡単な説明】
【００１４】
【図１】本発明に係る使用済燃料貯蔵ラックの第１実施形態の全体構成を示す斜視図である。
【図２】図１の使用済燃料貯蔵ラックから中性子遮蔽セルを取り除いた状態を示す斜視図である。
【図３】図１の中性子遮蔽セルの組立状態を示す斜視図である。
【図４】図３において中性子遮蔽セルを、クリップを用いて組み立てた状態を示す要部拡大断面図である。
【図５】本実施形態の中性子遮蔽セルにステンレス鋼板を重ね合せる状態を示す平面図である。
【図６】図５において中性子遮蔽セルにステンレス鋼板を重ね合せて構成した複合セルを示す平面図である。
【図７】第１実施形態の使用済燃料貯蔵ラックにおいて中央部に複合セルを設置した場合を示す平面図である。
【図８】本発明に係る使用済燃料貯蔵ラックの第２実施形態において中性子遮蔽セルの組立状態を示す斜視図である。
【図９】第２実施形態における複合セルの組立状態を示す要部拡大斜視図である。
【図１０】第２実施形態における複合セルの組立後の状態を示す要部拡大斜視図である。
【図１１】第２実施形態における組立後の複合セルを示す平面図である。
【発明を実施するための形態】
【００１５】
以下に、本発明に係る使用済燃料貯蔵ラックの各実施形態について、図面を参照して説明する。なお、以下の説明では、使用済燃料貯蔵ラックの底部を水平に設置した姿勢に基づいて説明する。
【００１６】
（第１実施形態）
図１は本発明に係る使用済燃料貯蔵ラックの第１実施形態の全体構成を示す斜視図である。図２は図１の使用済燃料貯蔵ラックから中性子遮蔽セルを取り除いた状態を示す斜視図である。図３は図１の中性子遮蔽セルの組立状態を示す斜視図である。図４は図３において中性子遮蔽セルを、クリップを用いて組み立てた状態を示す要部拡大断面図である。
【００１７】
図１に示すように、本実施形態の使用済燃料貯蔵ラック１は、設置状態において全体が上下に縦長な四角柱状に形成されている。使用済燃料貯蔵ラック１は、多数の中性子遮蔽セル３を備えている。これらの中性子遮蔽セル３は、図３に示すように中性子遮蔽材である１％を超える高ボロン濃度のボロン添加ステンレス鋼板２ａ，２ｂで構成されている。また、各中性子遮蔽セル３は、上端部、上下方向略中央部及び下端部において、格子状の枠板４として、上部枠板４ａ、中部枠板４ｂ及び下部枠板４ｃがそれぞれ水平に固定されている。なお、以下の説明において、ボロン添加ステンレス鋼板２ａ，２ｂのいずれか一方を特定しない場合は、図１に示すようにボロン添加ステンレス鋼板２として説明する。
【００１８】
さらに、使用済燃料貯蔵ラック１は、四隅部に角筒状に形成された複合セル５がそれぞれ同一高さに立設されている。これら４本の複合セル５は、それぞれベース６の周縁隅角部に配置されている。このベース６は、使用済燃料貯蔵ラック１の底部を構成し、平坦な四角板状に形成されている。また、４本の複合セル５は、それぞれ中性子遮蔽材である１％を超える高ボロン濃度のボロン添加ステンレス鋼板の外面にステンレス鋼板を重ね合わせた二重構造である。このステンレス鋼板は、側面が各枠板４ａ，４ｂ，４ｃに溶接により固定されるとともに、底部がベース６に溶接により固定されている。
【００１９】
各枠板４ａ，４ｂ，４ｃは、図２に示すように正方形状の周枠内に横長のステンレス鋼板を一定の間隔で縦横に交差させて正方格子に組み立てられている。これにより、各枠板４ａ，４ｂ，４ｃには、上下方向に貫通する正方形状の多数の中性子遮蔽セル３同士が一定の間隔を保持するように挿入される。そして、各枠板４ａ，４ｂ，４ｃの四隅部には、それぞれ各複合セル５が配置されることにより、多数のセルを有する角筒型の使用済燃料貯蔵ラック１が構成される。
【００２０】
これら中性子遮蔽セル３及び複合セル５内には、図示しない使用済燃料が装荷され、中性子遮蔽セル３、複合セル５及び使用済燃料の荷重は、全てベース６で支持される。
【００２１】
さらに、図２に示すように、ベース６上に４本の複合セル５が配置され、これらの複合セル５を位置決めするため、複合セル５の上端部、上下方向略中央部及び下端部に、それぞれ上部枠板４ａ、中部枠板４ｂ及び下部枠板４ｃが取り付けられている。
【００２２】
中性子遮蔽セル３は、図３に示すように１％を超える高ボロン濃度のボロン添加ステンレス鋼板２ａ，２ｂを一対ずつ向き合わせて角筒状に組み合せることにより構成されている。これらのボロン添加ステンレス鋼板２ａ，２ｂは、それぞれ長方形の平板であり、互いに同一の長さで、同一の幅に形成されている。
【００２３】
一方のボロン添加ステンレス鋼板２ａは、幅方向の両端近傍であって、長さ方向に沿って複数の縦長のスリット７が形成されている。他方のボロン添加ステンレス鋼板２ｂは、複数のスリット７に対応した上下位置であって、幅方向両端に差込み部８が張り出すように一体に形成されている。これらの差込み部８は、それぞれ長さ方向に沿って縦長のスリット９が形成されている。
【００２４】
スリット９は、一方のボロン添加ステンレス鋼板２ａのスリット７に他方のボロン添加ステンレス鋼板２ｂの差込み部８が差し込まれたとき、スリット７を通過して一方のボロン添加ステンレス鋼板２ａの外面側に露出するように差込み部８内における位置が設定されている。
【００２５】
したがって、ボロン添加ステンレス鋼板２ａ，２ｂにより中性子遮蔽セル３を組み立てるには、ボロン添加ステンレス鋼板２ａ，２ｂを一対ずつ向き合わせて井桁（角筒）状に組み合せる。具体的には、図３に示すようにボロン添加ステンレス鋼板２ａの幅方向一端に形成された複数のスリット７に、ボロン添加ステンレス鋼板２ｂにおいて幅方向一端に形成された複数の差込み部８をそれぞれ差し込む工程を一対ずつ行う。
【００２６】
次いで、ボロン添加ステンレス鋼板２ｂにおいて幅方向他端に形成された複数の差込み部８を、ボロン添加ステンレス鋼板２ａの幅方向他端に形成された複数のスリット７にそれぞれ差し込むことにより、平面角形状に組み合わされて中性子遮蔽セル３が形成される。
【００２７】
このように角形状に組み合わされた状態では、差込み部８のスリット９は、上述したようにボロン添加ステンレス鋼板２ａの外面側に露出するように位置しているので、図４に示すように、スリット９を通してステンレス鋼製のクリップ１０を装着することにより、ボロン添加ステンレス鋼板２ａとボロン添加ステンレス鋼板２ｂとの角部（交点部）を固定し、中性子遮蔽セル３の角形状を保持するようにしている。
【００２８】
次に、中性子遮蔽セル３にステンレス鋼板を重ね合せた複合セル５について説明する。図５は本実施形態の中性子遮蔽セルにステンレス鋼板を重ね合せる状態を示す平面図である。図６は図５において中性子遮蔽セルにステンレス鋼板を重ね合せて構成した複合セルを示す平面図である。
【００２９】
図５に示すように、中性子遮蔽セル３は、二対のステンレス鋼板１２，１４が互いに対向するように重ね合せて角筒状に組み合わせることにより複合セル５が構成される。一対のステンレス鋼板（第１のステンレス鋼板）１２，１２には、それぞれボロン添加ステンレス鋼板２に重ね合わせる側であって、幅方向両端近傍に長手方向全長に亘ってスリット１１，１１が形成されている。また、一対のステンレス鋼板（第２のステンレス鋼板）１４，１４には、それぞれボロン添加ステンレス鋼板２に重ね合わせる側であって、幅方向両端に長手方向全長に亘りスリット１１，１１と同様の幅の切欠き部１３，１３が形成されている。ここで、スリット１１，１１及び切欠き部１３，１３の幅は、ボロン添加ステンレス鋼板２の板厚と同等である。
【００３０】
図６に示すように、複合セル５は、中性子遮蔽セル３の角部にステンレス鋼板１２，１４のスリット１１及び切欠き部１３をそれぞれ嵌め込むことにより重ね合わされ、このようにして組み付けた後は、ステンレス鋼板１２，１４の接合部１５ａ，１５ｂ，１５ｃ，１５ｄの外周部分を溶接などの結合手段により結合する。
【００３１】
次に、上記の構成要素の具体的な寸法関係について説明する。
【００３２】
本実施形態の使用済燃料貯蔵ラック１を例えば、加圧水型原子炉（ＰＷＲ）に適用した場合について説明する。
【００３３】
加圧水型原子炉向けの使用済燃料貯蔵ラックでは、ボロン添加ステンレス鋼板２の板厚を３ｍｍ、中性子遮蔽セル３の内径を２２５ｍｍとした場合、セル外径は２２５＋３×２＝２３１ｍｍとなるものの、組立用の差込み部８がボロン添加ステンレス鋼板２ａの外面より約１０ｍｍ突出しており、外形板幅最大寸法が２３１＋１０×２＝２５１ｍｍ程度となる。この中性子遮蔽セル３の突出部を覆うため、ステンレス鋼板１２，１４の板厚は、１４ｍｍ程度とするのが望ましい。
【００３４】
このとき、中性子遮蔽セル３の外形板幅最大寸法が２５１ｍｍであるのに対し、複合セル５の外形寸法が２３１＋１４×２＝２５９ｍｍ程度となるが、上述したように中性子遮蔽セル３の突出部を覆うために枠板４の各開口部の四隅には、丸穴の逃げ部を設ける必要があり、その最大内径寸法は２６１ｍｍ程度であるので、複合セル５を設置したことで約２８５ｍｍのセル間ピッチへ及ぼす影響はない。
【００３５】
図７は第１実施形態の使用済燃料貯蔵ラックにおいて中央部に複合セルを設置した場合を示す平面図である。
【００３６】
図７に示すように、本実施形態の複合セル５の断面寸法は、中性子遮蔽セル３と略同等であるため、複合セル５を図１及び図２に示すように使用済燃料貯蔵ラック１の四隅部に配置する以外に、枠板４に空けられた任意の位置の格子穴に少なくとも一本を挿入して設置するようにしてもよい。このように複合セル５を使用済燃料貯蔵ラック１内に少なくとも一本設置することにより、使用済燃料貯蔵ラック１の構造強度を容易に向上させることができる。
【００３７】
なお、図７では、本実施形態のように中性子遮蔽セル３の角部を、クリップ１０を装着して固定するのではなく、中性子遮蔽セル３の突出部の先端側が切欠きバー１６により覆われて固定されている。この切欠きバー１６は、例えば円柱体の周方向４分の１の領域をそれぞれ全長に亘って９０度切欠いて形成されている。このように中性子遮蔽セル３の角部（交点部）は、上記いずれかの固定手段により固定されればよい。
【００３８】
次に、本実施形態の作用及び効果について説明する。
【００３９】
本実施形態の使用済燃料貯蔵ラック１では、使用済燃料を中性子遮蔽セル３及び複合セル５の内部に保管し、枠板４により各中性子遮蔽セル３及び複合セル５の位置決めを行うことにより、使用済燃料間の距離を適切に維持し、未臨界性及び使用済燃料の冷却性を保証することが可能となる。
【００４０】
本実施形態の使用済燃料貯蔵ラック１は、中性子遮蔽材であるボロン添加ステンレス鋼板２と高強度構造材であるステンレス鋼板１２，１４を一体として複合セル５を形成したことにより、従来は中性子遮蔽セル３とは別の位置に高強度構造材を配置していたのに対し、中性子遮蔽セル３とほぼ同スペースにおいて同等以上の構造強度とすることができ、高強度構造材がセル間ピッチに影響を与えることがなくなる。
【００４１】
また、従来では、高強度構造の要求に対応するとき、中性子遮蔽セル３間に中性子遮蔽材と構造的に独立した高強度構造材を配置する場合があり、この場合にはセル間ピッチを大きくする必要性が生じる可能性がある。しかしながら、本実施形態では、複合セル５を中性子遮蔽セル３とほぼ同スペース内に収容することができるため、セル間ピッチを拡大させる必要がなく、構造強度を向上させる場合において使用済燃料貯蔵ラック１の外形寸法を複合セル５の収容前と同様に維持することができる。
【００４２】
さらに、従来では、高強度構造材以外にもラック外周部に補強用の梁を設置していたが、本実施形態では、高強度構造材と中性子遮蔽材を兼ね備えた複合セル５を任意の位置に容易に配置することで構造強度の向上が図れるため、これらの補強用の梁が不要となり、構造強度の要求に柔軟に対応することができるとともに、構造を簡素化することができる。
【００４３】
そして、従来では、高強度構造材が上端部、上下方向略中央部及び下端部の枠板４よりも外側に配置された場合があったが、本実施形態では、高強度構造材を兼ねた複合セル５が枠板４の内部に配置されているため、使用済燃料貯蔵ラック１間の距離をより短くすることができ、さらなる稠密化が可能である。
【００４４】
また、本実施形態によれば、高強度構造材と中性子遮蔽材とが一体の複合セル５により構造強度を担保する。この複合セル５は、中性子遮蔽セル３の周囲にステンレス鋼板１２，１４を重ね合わせた構造であるため、使用済燃料貯蔵ラック１の断面において中性子遮蔽セル３と略同じ断面積で構造強度を担保することができる。
【００４５】
さらに、本実施形態によれば、中性子遮蔽セル３をボロン添加ステンレス鋼板２にクリップ１０を使用して溶接や曲げ加工を施さずに組み立てるため、高ボロン添加ステンレス鋼を使用した際の溶接部強度の低下や靭性の低下といった問題を未然に回避することができる。
【００４６】
また、本実施形態によれば、高強度構造材を複合セル５のステンレス鋼板１２，１４が担保し、中性子遮蔽材であるボロン添加ステンレス鋼板２には荷重が伝達されないので、海外における中性子遮蔽材と高強度構造材を分離しなければならないという法律に対応することができる。
【００４７】
そして、本実施形態によれば、中性子遮蔽材と高強度構造材が一体の複合セル５で構造強度を担保することにより、使用済燃料貯蔵ラック１の断面内における任意の位置に高強度構造材を配置することができる。
【００４８】
以上により、本実施形態では、使用済燃料貯蔵ラック１の外形を大きくすることなく、製造が容易で、地震などの横荷重の増加に応じて強度の向上を図ることが可能となる。
【００４９】
（第２実施形態）
図８は本発明に係る使用済燃料貯蔵ラックの第２実施形態において中性子遮蔽セルの組立状態を示す斜視図である。図９は第２実施形態における複合セルの組立状態を示す要部拡大斜視図である。図１０は第２実施形態における複合セルの組立後の状態を示す要部拡大斜視図である。図１１は第２実施形態における組立後の複合セルを示す平面図である。なお、前記第１実施形態と同一又は対応する部分には、同一の符号を付して異なる構成を説明する。
【００５０】
図８に示すように、１％を超える高ボロン濃度のボロン添加ステンレス鋼板２Ａは、長方形の平板であり、ボロン添加ステンレス鋼板２ｂと同一の長さで、同一の幅に形成されている。ボロン添加ステンレス鋼板２Ａは、長さ方向に沿って幅方向の両端に切欠き部１８が部分的に形成され、この切欠き部１８が形成されていない部分にスリット１９が形成されている。
【００５１】
ボロン添加ステンレス鋼板２ｂは、複数のスリット１９に対応した上下位置であって、前記第１実施形態と同様に幅方向両端に差込み部８が張り出すように一体に形成されている。これらの差込み部８は、それぞれ長さ方向に沿って縦長のスリット９が形成されている。
【００５２】
したがって、ボロン添加ステンレス鋼板２Ａ，２ｂにより中性子遮蔽セルを組み立てるには、ボロン添加ステンレス鋼板２Ａ，２ｂを一対ずつ向き合わせて角筒状に組み合せる。具体的には、図８に示すようにボロン添加ステンレス鋼板２Ａの幅方向一端に形成された複数のスリット１９に、ボロン添加ステンレス鋼板２ｂにおいて幅方向一端に形成された複数の差込み部８をそれぞれ差し込む工程を一対ずつ行う。
【００５３】
次いで、ボロン添加ステンレス鋼板２ｂにおいて幅方向他端に形成された複数の差込み部８を、ボロン添加ステンレス鋼板２Ａの幅方向他端に形成された複数のスリット１９にそれぞれ差し込むことにより、平面角形状に組み合わされて中性子遮蔽セルが形成される。
【００５４】
図９及び図１０に示すように、ボロン添加ステンレス鋼板２ｂには、ステンレス鋼板２０が重ね合わされる一方、ボロン添加ステンレス鋼板２Ａには、ステンレス鋼板２１が重ね合わされる。ステンレス鋼板２０の幅方向両端には、組み立てたとき、スリット１９が形成されて切欠き部１８が形成されていない部分を回避するために切欠き部２２が形成されている。また、ステンレス鋼板２１の幅方向両端には、組み立てたとき、差込み部８を回避するために切欠き部２３が形成されている。
【００５５】
そして、複合セル５Ａを形成するには、ボロン添加ステンレス鋼板２ｂにステンレス鋼板２０を、ボロン添加ステンレス鋼板２Ａにステンレス鋼板２１をそれぞれ重ね合わせた後、ステンレス鋼板２０，２１をそれぞれ図９において矢印方向にボロン添加ステンレス鋼板２Ａ，２ｂ上において接合部２４で接合させ、この接合部２４や切欠き部１８において溶接などの結合手段によって結合する。これを図１１に示す。
【００５６】
このように本実施形態によれば、高強度構造材であるステンレス鋼板２０，２１が中性子遮蔽材２Ａ，２ｂで形成される四角筒の最外部よりも内側に位置するので、複合セル５Ａの外形を小さくすることができ、複合セル５Ａの挿入位置に相当する枠板４の穴径の増加を抑制することができる。
【００５７】
なお、本発明は上記各実施形態に限定されることなく、種々の変更が可能である。上記各実施形態では、複合セル５の上端部、上下方向略中央部及び下端部に、それぞれ上部枠板４ａ、中部枠板４ｂ及び下部枠板４ｃを取り付けるようにしたが、これに限らず少なくとも一つ下端部以外に枠板を取り付けるようにすればよい。
【００５８】
また、上記各実施形態では、中性子遮蔽セルの外周４面にそれぞれステンレス鋼板を重ね合せた後、ステンレス鋼板同士を溶接による固定手段を用いて固定するようにしたが、これに限らずボルト、ナットなどの固定手段を用いてもよい。
【符号の説明】
【００５９】
１…使用済燃料貯蔵ラック
２，２ａ，２ｂ…ボロン添加ステンレス鋼板
３…中性子遮蔽セル
４，４ａ，４ｂ，４ｃ…枠板
５，５Ａ…複合セル
６…ベース
７…スリット
８…差込み部
９…スリット
１０…クリップ
１１…スリット
１２…ステンレス鋼板（第１のステンレス鋼板）
１３…切欠き部
１４…ステンレス鋼板（第２のステンレス鋼板）
１５ａ，１５ｂ，１５ｃ，１５ｄ…接合部
１６…切欠きバー
１８…切欠き部
１９…スリット
２０…ステンレス鋼板
２１…ステンレス鋼板
２２…切欠き部
２３…切欠き部
２４…接合部
【図１】
0005537353.tif 000002
【図２】
0005537353.tif 000003
【図３】
0005537353.tif 000004
【図４】
0005537353.tif 000005
【図５】
0005537353.tif 000006
【図６】
0005537353.tif 000007
【図７】
0005537353.tif 000008
【図８】
0005537353.tif 000009
【図９】
0005537353.tif 000010
【図１０】
0005537353.tif 000011
【図１１】
0005537353.tif 000012